(57)【特許請求の範囲】
【請求項１】
第１の端末装置から無線信号を受信する第１の基地局装置と、前記第１の基地局装置とネットワークを介して接続されるとともに第２の端末装置に無線信号を送信する第２の基地局装置と、を含む移動体通信システムであって、
前記第１の基地局装置は、
前記第１の端末装置から受信した無線信号を該信号に応じたリアルタイムデータに変換し、該リアルタイムデータを前記第２の基地局装置に送信する手段と、
前記第１の端末装置との無線通信における通信品質を表す無線通信品質情報を前記第２の基地局装置に通知する通信品質通知手段とを含み、
前記第２の基地局装置は、
前記第１の基地局装置から受信したリアルタイムデータを該受信したリアルタイムデータに応じた無線信号に変換し、該無線信号を前記第２の端末装置に送信する手段と、
前記第１の基地局装置から通知された無線通信品質情報に基づいて、前記受信したリアルタイムデータに応じた無線信号の前記第２の端末装置への送信に制限を加える無線通信制御手段とを含む、
ことを特徴とする移動体通信システム。
【請求項２】
請求項１に記載の移動体通信システムにおいて、
前記リアルタイムデータは、音声データであって、
前記無線通信制御手段は、前記無線通信品質情報により表される通信品質が所定品質以下である場合に、前記第２の端末装置に無音の音声データに応じた無線信号を送信する、又は前記第２の端末装置への無線信号の送信を停止する、
ことを特徴とする移動体通信システム。
【請求項３】
請求項１又は２に記載の移動体通信システムにおいて、
前記ネットワークは、ＩＰネットワークである、
ことを特徴とする移動体通信システム。
【請求項４】
請求項３に記載の移動体通信システムにおいて、
前記リアルタイムデータの送信は、ＲＴＰ（Real-time Transport Protocol）に基づいて行われ、
前記通信品質通知手段は、前記無線通信品質情報をＲＴＣＰ（RTP Control Protocol）パケットに含めて前記第２の基地局装置に通知する、
ことを特徴とする移動体通信システム。
【請求項５】
第１の端末装置から無線信号を受信する他の基地局装置から、該無線信号に応じたリアルタイムデータをネットワークを介して受信する基地局装置であって、
前記他の基地局装置から受信したリアルタイムデータに応じた無線信号を生成し、該無線信号を第２の端末装置に送信する手段と、
前記他の基地局装置から通知される、該他の基地局装置と前記第１の端末装置との間の無線通信における通信品質を表す無線通信品質情報に基づいて、前記受信したリアルタイムデータに応じた無線信号の前記第２の端末装置への送信に制限を加える無線通信制御手段とを含む、
ことを特徴とする基地局装置。
【請求項６】
第１の端末装置から無線信号を受信する他の基地局装置から、該無線信号に応じたリアルタイムデータをネットワークを介して受信する基地局装置の制御方法であって、
前記他の基地局装置から受信したリアルタイムデータに応じた無線信号を生成し、該無線信号を第２の端末装置に送信するステップと、
前記他の基地局装置から通知される、該他の基地局装置と前記第１の端末装置との間の無線通信における通信品質を表す無線通信品質情報に基づいて、前記受信したリアルタイムデータに応じた無線信号の前記第２の端末装置への送信に制限を加える無線通信制御ステップとを含む、
ことを特徴とする基地局装置の制御方法。
【発明の詳細な説明】
【技術分野】
【０００１】
本発明は、移動体通信システム、基地局装置及び基地局装置の制御方法に関し、特に、第１の端末装置から無線信号を受信する第１の基地局装置と、第１の基地局装置とネットワークを介して接続されるとともに第２の端末装置に無線信号を送信する第２の基地局装置とを含むシステムに関する。
【背景技術】
【０００２】
近年、携帯電話やＰＨＳ（Personal Handy-phone System）等の移動体通信システムでは、通話品質の向上や回線コストの削減などを目的として、基地局装置間のバックボーンが従来のＩＳＤＮ（Integrated Service Digital Network）等の回線交換網からＩＰ（Internet Protocol）ネットワーク（インターネットを含む）に切り替えられつつある。かかる移動体通信システムでは、基地局装置がインターネット網と無線通信区間とをつなぐゲートウェイとなり、ＩＰネットワーク及び無線通信区間のプロトコルを相互に変換する役割を果たす。すなわち、プロトコル変換型の音声ＩＰ通信を行う基地局装置は、端末装置から受信した音声データをＲＴＰ（Real-time Transport Protocol）パケット等を含むＩＰパケットに変換し、当該ＩＰパケットをＩＰネットワークに送出したり、逆に、ＩＰネットワークから受信したＩＰパケットを音声データに応じた無線信号に変換して端末装置に送信したりする。
【０００３】
なお、無線区間における通信プロトコルをＩＰ化したすることにより、基地局装置においてプロトコル変換の必要がないＥｎｄ−ｔｏ−Ｅｎｄ型の音声ＩＰ通信システムも存在する。例えば、下記特許文献１には、ＩＰネットワーク及び無線区間を介してＶｏＩＰ（Voice over IP）などのリアルタイムデータ通信をＥｎｄ−ｔｏ−Ｅｎｄで行う無線情報端末において、無線情報端末とＩＰネットワークとの間に存在する無線区間の無線状況や無線情報端末の無線インターフェースの情報（無線インターフェースデバイスの種類、音声コーデックの種類、および音声コーデックのパケット化周期、リアルタイム通信データの送信状況等）に基づいてセッション情報（ＲＴＰパラメータ情報等）を決定し、セッションを確立するための技術が開示されている。この技術によれば、ＩＰネットワークと無線通信区間とがＩＰベースでシームレスに接続され、通信中に一方の無線通信状態が悪化すると、無線情報端末においてセッション情報が再決定され、ＳＩＰ（Session Initiation Protocol）等の呼制御プロトコルを通じて当該セッション情報を両端末で共有しセッションを張り直すことが可能となっている。
【特許文献１】特開２００４−３２８０７９号公報
【発明の開示】
【発明が解決しようとする課題】
【０００４】
ＩＰネットワークと非ＩＰベースの無線通信区間が基地局装置にて接続されるような上記プロトコル変換型の音声ＩＰ通信を行うシステムにおいては、基地局装置が通信相手側の無線区間における通信状態を把握する手段がなかった。このため、例えば、一方の端末装置において、電波状態の悪化に伴ってＦＥＲ（Frame Error Rate）が上昇しハンドオーバが必要となる状況になっても、通信相手側の基地局装置で当該ハンドオーバの起動タイミングを知ることができないため、ハンドオーバ時に発生するノイズ信号を破棄して代わりに無音信号を端末装置に送信する等の制御を行うことができず、ノイズが相手側の端末に送られてしまうという問題があった。
【０００５】
本発明は、上記従来の課題に鑑みてなされたものであり、基地局装置において、通信相手側の無線通信品質に応じて、Ｅｎｄ−ｔｏ−Ｅｎｄの通信状態を最適な状態に保つことのできる移動体通信システム、基地局装置及び基地局装置の制御方法を提供することを目的とする。
【課題を解決するための手段】
【０００６】
上記目的を達成するために、本発明に係る移動体通信システムは、第１の端末装置から無線信号を受信する第１の基地局装置と、前記第１の基地局装置とネットワークを介して接続されるとともに第２の端末装置に無線信号を送信する第２の基地局装置と、を含む移動体通信システムであって、前記第１の基地局装置は、前記第１の端末装置から受信した無線信号を該信号に応じたリアルタイムデータに変換し、該リアルタイムデータを前記第２の基地局装置に送信する手段と、前記第１の端末装置との無線通信における通信品質を表す無線通信品質情報を前記第２の基地局装置に通知する通信品質通知手段とを含み、前記第２の基地局装置は、前記第１の基地局装置から受信したリアルタイムデータを該受信したリアルタイムデータに応じた無線信号に変換し、該無線信号を前記第２の端末装置に送信する手段と、前記第１の基地局装置から通知された無線通信品質情報に基づいて、前記受信したリアルタイムデータに応じた無線信号の前記第２の端末装置への送信に制限を加える無線通信制御手段とを含む、ことを特徴としている。
【０００７】
また、本発明に係る基地局装置は、第１の端末装置から無線信号を受信する他の基地局装置から、該無線信号に応じたリアルタイムデータをネットワークを介して受信する基地局装置であって、前記他の基地局装置から受信したリアルタイムデータに応じた無線信号を生成し、該無線信号を第２の端末装置に送信する手段と、前記他の基地局装置から通知される、該他の基地局装置と前記第１の端末装置との間の無線通信における通信品質を表す無線通信品質情報に基づいて、前記受信したリアルタイムデータに応じた無線信号の前記第２の端末装置への送信に制限を加える無線通信制御手段とを含む、ことを特徴としている。
【０００８】
また、本発明に係る基地局装置の制御方法は、第１の端末装置から無線信号を受信する他の基地局装置から、該無線信号に応じたリアルタイムデータをネットワークを介して受信する基地局装置の制御方法であって、前記他の基地局装置から受信したリアルタイムデータに応じた無線信号を生成し、該無線信号を第２の端末装置に送信するステップと、前記他の基地局装置から通知される、該他の基地局装置と前記第１の端末装置との間の無線通信における通信品質を表す無線通信品質情報に基づいて、前記受信したリアルタイムデータに応じた無線信号の前記第２の端末装置への送信に制限を加える無線通信制御ステップとを含む、ことを特徴としている。
【０００９】
本発明では、基地局装置において、第１の端末装置から無線信号を受信する他の基地局装置から、該無線信号に応じたリアルタイムデータを受信する。そして、他の基地局装置から受信したリアルタイムデータを応じた無線信号を生成し、該無線信号を第２の端末装置に送信する。また、他の基地局装置から通知される、該他の基地局装置と第１の端末装置との間の無線通信品質情報を取得する。そして、該無線通信品質情報に基づいて、受信したリアルタイムデータに応じた無線信号の第２の端末装置への送信に制限を加える。本発明によれば、基地局装置において、通信相手側の無線通信品質をリアルタイムで把握し、それに応じて端末装置への無線信号の送信を制御することが可能となり、Ｅｎｄ−ｔｏ−Ｅｎｄの通信状態を最適な状態に保つことができる。
【００１０】
また、本発明の一態様では、前記リアルタイムデータは、音声データであって、前記無線通信制御手段は、前記無線通信品質情報により示される通信品質が所定品質以下である場合に、前記第２の端末装置に無音の音声データに応じた無線信号を送信する、又は前記第２の端末装置への無線信号の送信を停止する。こうすれば、基地局装置において、通信相手側の無線通信品質をリアルタイムで把握し、それに応じて端末装置に無音の音声データに応じた無線信号を送信する、又は端末装置への無線信号の送信を停止することが可能となり、音声通信におけるＥｎｄ−ｔｏ−Ｅｎｄの通信状態を最適な状態に保つことができるようになる。
【００１１】
また、本発明の一態様では、前記ネットワークは、ＩＰネットワークである。こうすれば、ＩＰネットワークと非ＩＰベースの無線通信区間とを接続する基地局装置において、通信相手側の無線通信品質をリアルタイムで把握し、それに応じて端末装置への無線信号の送信を制御することが可能となり、Ｅｎｄ−ｔｏ−Ｅｎｄの通信状態を最適な状態に保つことができるようになる。
【００１２】
また、本発明の一態様では、前記リアルタイムデータの送信は、ＲＴＰ（Real-time Transport Protocol）に基づいて行われ、前記通信品質通知手段は、前記無線通信品質情報をＲＴＣＰ（RTP Control Protocol）パケットに含めて前記第２の基地局装置に通知する。こうすれば、ＩＰネットワークと非ＩＰベースの無線通信区間とを接続する基地局装置において、通信相手側の無線通信品質をＰＴＣＰパケットにて随時受信し、それに応じて端末装置への無線信号の送信を制御することが可能となり、ＲＴＰに基づくリアルタイムデータの送受信においてＥｎｄ−ｔｏ−Ｅｎｄの通信状態を最適な状態に保つことができるようになる。
【発明を実施するための最良の形態】
【００１３】
以下、本発明の実施の形態を図面に基づいて説明する。図１は、本発明の実施の形態に係る移動体通信システム１０の構成を示す図である。同図に示すように、移動体通信システム１０は、ＩＰネットワーク１６に接続される複数の基地局装置１２と各基地局装置１２とそれぞれ無線伝送路で接続される複数の端末装置１４とを含んで構成される。
【００１４】
図２は、基地局装置１２の構成を示す機能ブロック図である。基地局装置１２は、制御部２０、アンテナ３０、無線通信部４０及びＩＰインターフェース部５０を含んで構成され、複数の端末装置１４それぞれと無線信号の送受信を行うとともに、他の複数の基地局装置それぞれとＩＰネットワーク１６を介してリアルタイムデータの送受信を行う。
【００１５】
以下では、図１において、端末装置１４ａと端末装置１４ｂとが互いにリアルタイムデータの送受信を行う場合における基地局装置１２ａを例にとって説明する。基地局装置１２ａは、端末装置１４ｂからの無線信号を受信する基地局装置１２ｂから、当該無線信号に応じたリアルタイムデータをＩＰネットワーク１６を介して受信するとともに、受信したリアルタイムデータに応じた無線信号を生成し、当該無線信号を端末装置１４ａに送信する。また、基地局装置１２ａは、端末装置１４ａから無線信号を受信するとともに、当該無線信号に応じたリアルタイムデータを生成し、ＩＰネットワーク１６を介して基地局装置１２ｂに送信する。
【００１６】
無線通信部４０は、無線部４２、復調部４４、変調部４６及び信号処理部４８を含んで構成される。アンテナ３０は、無線部４２に接続される。無線部４２は、送信部と受信部を備え、アンテナ３０を時分割で制御して送信と受信とを順次切り替える。無線部４２の受信部は、ローノイズ増幅器、ダウンコンバータ等を備え、アンテナ３０で受信される受信信号を増幅して復調部４４に出力する。復調部４４は、無線部４２の受信部から入力される受信信号をベースバンド信号に変換して信号処理部４８に出力する。変調部４６は、信号処理部４８から入力されるベースバンド信号を送信信号に変換して無線部４２の送信部に出力する。無線部４２の送信部は、アップコンバータ、電力増幅器等を備え、変調部４６から入力される送信信号を送信出力レベルにまで増幅してアンテナ３０に出力する。
【００１７】
信号処理部４８は、信号変換回路等を備え、制御部２０のリアルタイムデータ処理部２４から入力される複数のリアルタイムデータをベースバンド信号に変換し、ベースバンド信号を端末装置１４ａへ送信できるように変調部４６に出力する。また、復調部４４から入力される端末装置１４ａからのベースバンド信号からリアルタイムデータを抽出し、リアルタイムデータをリアルタイムデータ処理部２４に出力する。
【００１８】
ＩＰインターフェース部５０は、ＩＰネットワーク１６（インターネットを含む）に接続されるとともに、リアルタイムデータ処理部２４及び通信品質通知部２６にも接続され、リアルタイムデータ処理部２４及び通信品質通知部２６からそれぞれ入力されるＲＴＰパケット及びＲＴＣＰパケットを、ＩＰネットワーク１６を介して基地局装置１２ｂに送信する。また、ＩＰインターフェース部５０は、ＩＰネットワーク１６から入力される基地局装置１２ｂからのＲＴＰパケット及びＲＴＣＰパケットを、それぞれリアルタイムデータ処理部２４及び通信品質測定部２６に出力する。
【００１９】
制御部２０は、無線通信品質測定部２２、リアルタイムデータ処理部２４、通信品質通知部２６及び無線通信制御部２８を含んで構成され、基地局装置１２全体の制御を行う。制御部２０は、ＣＰＵ及びメモリ等から構成される。
【００２０】
無線通信品質測定部２２は、無線部４２と接続され、端末装置１４ａからの受信信号に基づいて端末装置１４ａとの無線通信における通信品質を測定し、当該通信品質を表す無線通信品質情報を通信品質測定部２６に出力する。通信品質は、例えばＦＥＲの大きさ等で表されるが、ＦＥＲは電波状態の悪化に応じて、すなわち妨害波レベルの増大に伴って上昇する。そのため、無線通信品質情報には、端末装置１４ａと基地局装置１２ａとの間の無線通信におけるＦＥＲや、基地局装置１２ａにおいて受信される所望波信号レベルと妨害波信号レベルとの比（Ｄ／Ｕ比）等が用いられる。
【００２１】
リアルタイムデータ処理部２４は、信号処理部４８から入力されるリアルタイムデータにＲＴＰヘッダ等を付けてＲＴＰパケットを生成し、ＩＰインターフェース部５０に出力する。また、ＩＰネットワーク１６から受信されるＲＴＰパケットからリアルタイムデータを取り出し、信号処理部４８に出力する。さらに、リアルタイムデータ処理部２４は、受信したＲＴＰパケットの欠落や到着時間間隔のジッタ（ひずみ）等を測定し、当該測定に関する統計データを定期的に通信品質通知部２６へ送る。なお、ＲＴＰパケットは、図３に示すように、ＩＰヘッダ、ＵＤＰ（User Datagram Protocol）ヘッダ、ＲＴＰヘッダ及びＧ７１１やＧ７２３．１等のリアルタイムデータを含むＲＴＰペイロードから構成される。
【００２２】
通信品質通知部２６は、上記受信したＲＴＰパケットに関する統計データをリアルタイムデータ処理部２４から取得して、当該統計データにＲＴＣＰヘッダ等を付けてＲＴＣＰパケットを生成し、ＩＰインターフェース部５０に出力する。また、ＩＰインターフェース部５０から入力されるＲＴＣＰパケットから通信相手側のＲＴＰパケットに関する統計データを取り出す。ＲＴＰが音声・動画像データそのものを送受信するプロトコルであるのに対し、ＲＴＣＰは、周期的に、パケットロス、遅延ジッタ、ラウンドトリップ等の回線品質を評価し、その帯域に見合ったリアルタイム通信を実現するため情報を送受信するためのプロトコルである。
【００２３】
さらに、通信品質通知部２６は、無線通信品質測定部２２から入力される無線通信品質情報にＲＴＣＰヘッダ等を付けてＲＴＣＰパケットを生成し、ＩＰインターフェース部５０に出力する。このＲＴＣＰパケットは、例えば、ＲＴＣＰパケットＡＰＰ（Application-Defined）である。また、ＩＰインターフェース部５０から入力されるＲＴＣＰパケットから通信相手側（基地局装置１２ｂと端末装置１４ｂとの間）の無線通信品質情報を取り出し、無線通信制御部２８に出力する。これにより、基地局装置は、通信相手側の無線区間における通信状態を把握することができる。なお、通信品質通知部２６は、上記無線通信品質測定部２２から入力される無線通信品質情報を、ＲＴＣＰパケットの一つであって以下に説明するＳｅｎｄｅｒ  Ｒｅｐｏｒｔ（以下、ＳＲ）又はＲｅｃｅｉｖｅｒ  Ｒｅｐｏｒｔ（以下、ＲＲ）等のレポートブロック内（例えば、ｐｒｏｆｉｌｅ−ｓｐｅｃｉｆｉｃ  ｅｘｔｅｎｓｉｏｎ）に格納し、ＩＰインターフェース部５０に出力してもよい。
【００２４】
ＲＴＣＰパケットは、図４に示すように、ＩＰヘッダ、ＵＤＰヘッダ、ＲＴＣＰヘッダ及び送信者情報やレポートブロックなどを含むＲＴＣＰペイロードから構成される。ＲＴＣＰパケットの一つであるＲＲは、受信者から送信者に対してＲＴＰ受信状態（ＲＴＰパケットの受信品質に関する情報）を通知するためのＲＴＣＰパケットであり、図６に示すように、ＲＴＣＰヘッダには、バージョン情報（Ｖ：Version）、パディング（Ｐ：Padding）、レセプションレポートカウント（ＲＣ：Reception Report Count）、パケットタイプ（ＰＴ：Packet Type）、レポート長、このパケットの送信者の同期送信元(ＳＳＲＣ：Sychronization Source)識別子を格納する各フィールドが設けられている。また、ＲＴＣＰヘッダに続くＲＴＣＰペイロードには、ＲＴＰ受信情報からなるレポートブロックが格納されることになっている。すなわち、上記レポートブロックには、パケットの送信者の同期送信元（ＳＳＲＣ）識別子、ＲＴＰ損失率、損失ＲＴＰパケット数、受信シーケンス番号、到着時間間隔のジッタの平均値、最後に受信したＳＲの送信時刻、最後にＳＲを受信した時刻からこのＲＲを送るまでの時間が格納されることになっている。
【００２５】
ＲＴＣＰパケットの一つであるＳＲは、送信者から受信者に対して送信状態（送信リアルタイムデータに関する情報）を通知するためのＲＴＣＰパケットである。ＳＲでは、図５に示すように、ＲＴＣＰヘッダに続くＲＴＣＰペイロードとして、ＮＴＰ（Network Time Protocol）タイムスタンプ、ＲＴＰタイムスタンプ、送信ＲＴＰパケット数及び送信ＲＴＰバイト数からなる送信者情報が格納され、さらにＲＴＰ送信情報からなるレポートブロックが格納されることになっている。ＳＲもＲＲも付加情報のためにｐｒｏｆｉｌｅ−ｓｐｅｃｉｆｉｃ  ｅｘｔｅｎｓｉｏｎを使うことができる。
【００２６】
無線通信制御部２８は、通信品質通知部２６から入力される通信相手側（基地局装置１２ｂと端末装置１４ｂとの間）の無線通信品質情報に基づいて、基地局装置１２ｂから受信したリアルタイムデータに応じた無線信号の端末装置１２ａへの送信に制限を加える。例えば、受信したリアルタイムデータが音声データである場合、基地局装置１２ｂと端末装置１４ｂとの間の通信品質（例えば、ＦＥＲやＤ／Ｕ比）が所定の品質以下になると、端末装置１４ｂが他の基地局装置（例えば、図１における基地局装置１２ｃ）にハンドオーバして、通信品質の劣化を防ぐ場合がある。このとき、基地局装置１２ａは、基地局装置１２ｂから随時通知される無線通信品質情報により、事前に端末装置１４ｂのハンドオーバの起動タイミングを把握することができる。このため、当該ハンドオーバ時に発生するノイズを端末装置１４ａにそのまま送信させないための制御を行うことができる。すなわち、端末装置１４ａの通信相手である端末装置１４ｂがハンドオーバを起動するタイミングで、基地局装置１２ａは、端末装置１４ａに無音の音声データに応じた無線信号を送信することができる。また、端末装置１４ａへの無線信号の送信を停止してもよい。こうすれば、ハンドオーバ時に発生するノイズが相手側の端末装置に送られるのを防ぐことができるようになる。
【００２７】
次に、本発明の実施の形態に係るハンドオーバ時のノイズ無音化処理を、図７のフローチャートに基づいて説明する。ここでは、基地局装置１２ａに無線接続された端末装置１４ａと基地局装置１２ｂに無線接続された端末装置１４ｂとが音声通信を行う場合を想定する（端末装置１４ａ及び１４ｂが送受信する無線信号等は図示していない）。なお、図７では、基地局装置１２ａからのＲＴＰパケット及びＲＴＣＰパケットと、基地局装置１２ｂからのＲＴＰパケット及びＲＴＣＰパケットとが、同数かつ交互に送信されているように示されているが、送信パケット数及び送信順序は図７に示す処理シーケンスに限定されるものではない。
【００２８】
はじめに、端末装置１４ａと端末装置１４ｂとの間で音声通信が開始される（Ｓ１００）。基地局装置１２ａは、端末装置１４ａからの受信信号を信号処理部４８にて音声データに変換し、当該音声データをリアルタイムデータ処理部２４でＲＴＰパケットの形式にした後に、ＩＰインターフェース部５０を介して当該ＲＴＰパケットを基地局装置１２ｂに送信する（Ｓ１０２）。同時に又は相前後して、基地局装置１２ａは、端末装置１４ｂからの受信信号に応じた音声データを含むＲＴＰパケットを、基地局装置１２ｂからＩＰインターフェース５０を介して受信する（Ｓ１０４）。基地局装置１２ａは、リアルタイムデータ処理部２４にて受信したＲＴＰパケットから音声データを取り出し、当該音声データを信号処理部２４にて無線信号に変換して、端末装置１２ａに送信する。
【００２９】
この間、基地局装置１２ａ及び基地局装置１２ｂは、音声データに関する各種送信情報、リアルタイムデータ処理部２４にて測定されるＲＴＰパケットの受信状況に係る統計情報、あるいは無線通信品質測定部２２にて測定される端末装置との無線通信品質情報（例えば、ＦＥＲ）等を、それぞれ通信品質通知部２６にてＲＴＣＰパケットの形式に変換し、相手側の基地局装置に高頻度で送信する（Ｓ１０６、Ｓ１０８）。その後も同様に、基地局装置１２ａ及び基地局装置１２ｂは、ＲＴＰパケット及びＲＴＣＰパケットの送受信を繰り返す（Ｓ１１０、Ｓ１１２、Ｓ１１４）。
【００３０】
ここで、基地局装置１２ｂ付近の電波状態が悪化し、基地局装置１２ｂにおいて端末装置１４ｂとの間の無線通信におけるＦＥＲが上昇すると、基地局装置１２ａは、基地局装置１２ｂから通知されるＦＥＲに基づいて、基地局装置１４ｂにおけるＦＥＲの上昇を認識し、端末装置１４ｂがハンドオーバを起動すること及びそのタイミングを把握する（Ｓ１１６）。ＦＥＲが所定の値以上になると、端末装置１４ｂは、端末装置１４ａとの間の音声通信を切断し（Ｓ１１８）、基地局装置１２ｂから基地局装置１２ｃにハンドオーバする（Ｓ１２０）。この間（Ｓ１１８からＳ１２０まで）、基地局装置１２ａは、無線通信制御部２８により端末装置１２ａへの無線信号の送信を一時停止し、端末装置１４ｂのハンドオーバに伴って発生するノイズがそのまま端末装置１２ａに送信されるのを防ぐ。
【００３１】
以上に述べた移動体通信システム、基地局装置及び基地局装置の制御方法によれば、基地局装置において、通信相手側の無線通信品質をリアルタイムで把握し、それに応じて端末装置への無線信号の送信を制御することが可能となり、Ｅｎｄ−ｔｏ−Ｅｎｄの通信状態を最適な状態に保つことができる。
【００３２】
なお、本発明は、以上に説明した実施の形態に限定されるものではない。例えば、本発明は、ＩＰネットワークで接続された基地局装置が相互にＲＴＰパケットを送受信する移動体通信システムだけでなく、基地局装置同士がネットワークで接続されるあらゆる種類の移動体通信システムに適用可能である。
【図面の簡単な説明】
【００３３】
【図１】本発明の実施の形態に係る移動体通信システムの構成図である。
【図２】本発明の実施の形態に係る基地局装置の機能ブロック図である。
【図３】ＲＴＰパケットの構成を示す図である。
【図４】ＲＴＣＰパケットの構成を示す図である。
【図５】ＲＴＣＰパケット（Ｓｅｎｄｅｒ  Ｒｅｐｏｒｔ）の構成を示す図である。
【図６】ＲＴＣＰパケット（Ｒｅｃｅｉｖｅｒ  Ｒｅｐｏｒｔ）の構成を示す図である。
【図７】ハンドオーバ時に発生するノイズの無音化処理を説明するシーケンス図である。
【符号の説明】
【００３４】
１０  移動体通信システム、１２  基地局装置、１４  移動局装置、１６  通信ネットワーク、２０  制御部、２２  無線通信品質測定部、２４  リアルタイムデータ処理部、２６  通信品質通知部、２８  無線通信制御部、３０  アンテナ、４０  無線通信部、４２  無線部、４４  復調部、４６  変調部、４８  信号処理部、５０  ＩＰインターフェース部。
【図１】
0004637757.tif 000002
【図２】
0004637757.tif 000003
【図３】
0004637757.tif 000004
【図４】
0004637757.tif 000005
【図５】
0004637757.tif 000006
【図６】
0004637757.tif 000007
【図７】
0004637757.tif 000008